(57)【特許請求の範囲】
【請求項１】
陽極ケース（１２）と、
前記陽極ケース内に位置する陽極（１４）と、
前記陽極ケースに固定される陰極ケース（１３）と、
前記陽極ケースに対して前記陰極ケースをシールするシール（１６）と、
前記陽極と前記陰極ケースの間であって前記陰極ケース内に位置する陰極（１５）と、
前記陽極と前記陰極の間の膜（１７）と
を有する電気的エネルギーを蓄える蓄エネルギー装置（１０）を製造する方法であって、
互いに対して固定された前記陽極ケース（１２）及び前記陰極ケース（１３）はそれぞれ、第１の外側表面（２１）と第２の外側表面（２２）と前記蓄エネルギー装置の端縁としてはたらく第３の外側表面（２３）とを有し、
前記蓄エネルギー装置の外側表面（２１、２２、２３）のうちの１つに少なくとも１つのマーキング（１８）を局部加熱によって当該表面を彫刻することによって作成し、
前記マーキングは、導電性であり、
前記マーキング（１８）は、蓄エネルギー状態をモニタリングするデバイス（１８３）であり、
前記マーキングは、回折格子（１８０）を形成する複数の溝（１８０ａ）を有し、
前記溝は、前記回折格子が設けられた前記表面が、当該蓄エネルギー装置のエネルギー蓄積状態に応じて変形した場合に、変形する
ことを特徴とする蓄エネルギー装置の製造方法。
【請求項２】
前記マーキング（１８）を形成する前記局部加熱によって、前記表面から材料が取り除かれる
ことを特徴とする請求項１に記載の蓄エネルギー装置の製造方法。
【請求項３】
前記マーキング（１８）を形成する前記局部加熱は、レーザーによって行われる
ことを特徴とする請求項１又は２に記載の蓄エネルギー装置の製造方法。
【請求項４】
前記マーキング（１８）は、当該蓄エネルギー装置の前記外側表面のうちの少なくともいずれか１つにわたって延在することを特徴とする請求項１〜３のいずれかに記載の蓄エネルギー装置の製造方法。
【請求項５】
前記マーキング（１８）は、当該蓄エネルギー装置の前記外側表面のすべてにわたって延在することを特徴とする請求項３に記載の蓄エネルギー装置の製造方法。
【請求項６】
前記レーザーによる前記局部加熱は、前記マーキングが設けられる表面の材料とコントラストを有する色を前記マーキング（１８）が有するように行われることを特徴とする請求項３に記載の蓄エネルギー装置の製造方法。
【請求項７】
前記レーザーによる前記局部加熱は、前記マーキングが設けられる表面の材料と同じ色を前記マーキング（１８）が有するように行われることを特徴とする請求項３に記載の蓄エネルギー装置の製造方法。
【請求項８】
前記マーキング（１８）は、回折格子（１８０）を形成する複数の溝（１８０ａ）を有し、これによって、前記マーキングに色を与える干渉効果がもたらされることを特徴とする請求項３〜７のいずれかに記載の蓄エネルギー装置の製造方法。
【請求項９】
当該蓄エネルギー装置は、さらに、装飾された画像である第２のマーキング（１８）を有することを特徴とする請求項１〜８のいずれかに記載の蓄エネルギー装置の製造方法。
【請求項１０】
当該蓄エネルギー装置は、さらに、偽造防止デバイス（１８２）である第２のマーキング（１８）を有することを特徴とする請求項１〜８のいずれかに記載の蓄エネルギー装置の製造方法。
【請求項１１】
前記偽造防止デバイス（１８２）は、表面上の寸法構成が異なる複数の凹部（１８２ａ）の組み合わせを有し、これによって、固有な構成を形成することを特徴とする請求項１０に記載の蓄エネルギー装置の製造方法。
【請求項１２】
前記偽造防止デバイス（１８２）は、互いに対して平行に構成する複数の凹部（１８２ａ）の組み合わせを有し、これらの前記凹部どうしの間の間隔と前記凹部の幅は不均一であって、これによって、固有な構成を形成することを特徴とする請求項１０に記載の蓄エネルギー装置の製造方法。
【請求項１３】
前記蓄エネルギー装置は、さらに、少なくとも１つの非導電性のマーキングを有することを特徴とする請求項１〜１２のいずれかに記載の蓄エネルギー装置の製造方法。
【発明の詳細な説明】
【技術分野】
【０００１】
本発明は、陽極ケースと、陽極ケース内に位置する陽極と、陽極ケースに固定される陰極ケースと、陽極ケースに対して陰極ケースをシールするシールと、陽極ケースと陰極ケースの間で陰極ケース内に位置する陰極と、及び陽極と陰極の間の膜とを有する一次電池又は蓄エネルギー装置に関する。
【背景技術】
【０００２】
図１に示す腕時計又は計算器のような電気デバイスに電源を供給するためのボタンセルのような電気的エネルギーを蓄える蓄エネルギー装置が知られている。これらのボタンセル１は、陽極ケース２と、陽極ケース内に位置する陽極４と、陽極ケース２につながれた陰極ケース３と、陽極ケースに対して陰極ケースをシールするシール６と、陽極と陰極ケースの間にて陰極ケース内に位置する陰極５と、及び陽極と陰極を分離する膜７とを有する。
【０００３】
様々な種類のボタンセルどうしを区別するために、セルの外側表面の１つ、具体的には、陰極ケース表面又は陽極ケース表面にマーキング８が設けられる。
【０００４】
これらのマーキングは、様々な異なる方法で設けられる。第１の方法は、電池の表面のうちの１つにインク８ａないし塗料を堆積されることを伴う。この方法は、簡単で適応させることが容易であるという利点を有する。実際に、第１の種類の電池マーキングから第２の種類の電池マーキングに変えるのは容易である。
【０００５】
しかし、この手法の第１の課題は、電池ケースに対する良好な層の接着を確実にする必要があることである。別の課題は、電池上の塗料ないしインクが容易に消されたり引っ掻かれたりするということである。実際に、これらの電池は、注意せずに取り扱われたり、落とされたり、又は機械的に摩耗して、これによって、引っ掻き傷や変形を引き起こし、これは、インクないし塗料を劣化させる。堆積した層が劣化すると、インクないし塗料の残留物が電池表面から離れ、電気接点を汚したり、デバイスの正常動作を害することがある。
【０００６】
また、このようなインク又は塗料の使用には、電池の接触面積を減少させてしまうという課題があり、したがって、電気接点に悪影響を与えないようにマーキングを形成しなければならない。１つの手法は、より高価な導電性塗料ないしインクを使用することを伴う。これにも前記課題があてはまり、また、灰黒色が支配的であるような暗い色に色の選択を限定させてしまう。
【０００７】
別の手法は、スタンピングによってマーキング８ｂ、８ｃを形成することを伴う。この方法は、ポンチプレスの支援を受けて、陽極ケース、又はより伝統的には陰極ケース、を可塑的に変形することを伴う。ケースの他の側から見ることができるマーキング８ｂをスタンピングによって、あるいは、マーキング８ｃを材料を砕くことによって作ることができる。しかし、この方法には、より複雑な管理を伴うという課題がある。実際に、各マーキングに対して異なるポンチが必要である。
【０００８】
結果的に、これは、マーキングが変わる毎に各ポンチを変える必要があるような、あるいは一又は複数の特定のマーキングを備えた一連の電池が連続して作られるような、複雑な電池製造プロセスを伴う。
【発明の概要】
【発明が解決しようとする課題】
【０００９】
本発明は、電池との電気接点を害さない単純な耐久性を有するマーキングを設けることができる電池を提案することによって、従来技術の前記課題を克服する、電解槽電池のような電気的エネルギーを蓄える蓄エネルギー装置に関する。
【課題を解決するための手段】
【００１０】
このために、本発明は、陽極ケースと、前記陽極ケース内に位置する陽極と、前記陽極ケースに固定される陰極ケースと、前記陽極ケースに対して前記陰極ケースをシールするシールと、前記陽極ケースと前記陰極ケースの間で前記陰極ケース内に位置する陰極と、及び前記陽極と前記陰極の間の膜とを有する電池ないし蓄エネルギー装置に関し、お互いに対して固定された前記陽極ケース及び前記陰極ケースはそれぞれ、第１の外側表面及び第２の外側表面と、及び前記第１及び第２の外側表面とは割面であり、かつ、当該蓄エネルギー装置の端縁としてはたらく第３の外側表面とを有し、前記蓄エネルギー装置は、当該蓄エネルギー装置の外側表面のうちの１つは、材料の局部加熱によって作成される少なくとも１つのマーキングを有し、前記マーキングは、導電性であり、前記マーキングは、畜エネルギー状態をモニタリングするデバイスであり、前記マーキングは、回折格子を形成する複数の溝を有し、前記溝は、前記回折格子が設けられた前記表面が、当該蓄エネルギー装置の放出又は当該蓄エネルギー装置の充エネルギー／放エネルギーの影響の下で変形した場合に、変形する。
【００１１】
第１の好ましい一実施形態において、前記マーキングを形成する前記材料の局部加熱によって、材料が取り除かれる。
【００１２】
第２の好ましい一実施形態において、前記マーキングを形成する前記材料の局部加熱は、レーザーによって行われる。
【００１３】
第３の好ましい一実施形態において、前記マーキングは、当該蓄エネルギー装置の前記外側表面のうちの少なくともいずれか１つにわたって延在する。
【００１４】
本発明の第４の好ましい一実施形態において、前記レーザーによる材料の前記局部加熱は、前記マーキングが設けられる表面の材料とコントラストを有する色を前記マーキングが有するように行われる。
【００１５】
本発明の別の好ましい一実施形態において、前記レーザーによる材料の前記局部加熱は、前記マーキングが設けられる表面の材料と同じ色を前記マーキングが有するように行われる。
【００１６】
本発明の別の好ましい一実施形態において、前記マーキングは、回折格子を形成する複数の溝を有し、これによって、前記マーキングに色を与える干渉効果がもたらされる。
【００１７】
本発明の別の好ましい一実施形態において、当該蓄エネルギー装置は、さらに、装飾された画像である第２のマーキングを有する。
【００１８】
本発明の別の好ましい一実施形態において、当該蓄エネルギー装置は、さらに、偽造防止デバイスである第２のマーキングを有する。
【００１９】
本発明の別の好ましい一実施形態において、前記偽造防止デバイスは、表面上の寸法構成が異なる複数の凹部の組み合わせを有し、これによって、固有な構成を形成する。
【００２０】
本発明の別の実施形態において、前記偽造防止デバイスは、お互いに対して平行に構成する複数の凹部の組み合わせを有し、これらの前記凹部どうしの間の間隔と前記凹部の幅は不均一であって、これによって、固有な構成を形成する。
【００２１】
本発明の別の好ましい一実施形態において、前記偽造防止デバイスは、お互いに対して平行に構成する複数の凹部の組み合わせを有し、これらの前記凹部どうしの間の間隔と前記凹部の幅は不均一であって、これによって、固有な構成を形成する。
【００２２】
本発明の別の好ましい一実施形態において、当該電池は、さらに、少なくとも１つの非導電性のマーキングを有する。
【００２３】
本発明は、さらに、電子的モジュールを収容する閉じたケースを有する電子装置に関し、前記ケースは、ハッチカバーによって閉じられるハッチを有し、前記ハッチの中に、前記電子的モジュールに電源を供給する前記蓄エネルギー装置が配置される。
【００２４】
本発明の好ましい一実施形態において、前記ハッチカバー又は前記ケースの他のいずれかの要素は、透明な材料で作られ、これによって、前記蓄エネルギー装置のマーキングを見ることができるようになっている。
【００２５】
本発明の好ましい一実施形態において、前記蓄エネルギー装置の前記ケースには、装飾が施されており、前記電池マーキングは、前記装飾及び前記マーキングが組み合わさることで人目を引くアセンブリを形成するように作られている。
【００２６】
本発明の実施形態についての下の詳細な説明（専ら制限されない例として与えられるものであって、添付図面において図示されている）を読むことで、本発明に係る電池の他の利点及び特徴が、より明らかになるであろう。
【図面の簡単な説明】
【００２７】
【図１】従来技術に係る電池についての概略図である。
【図２】本発明に係る電池の概略断面図である。
【図３】本発明に係る電池のマーキングの変種の断面図である。
【図４】本発明に係る電池のマーキングの変種の断面図である。
【図５】本発明に係る電池の第１のアプリケーションの斜視図である。
【図６】本発明の電池の第１のアプリケーションにおけるマーキングを有する計時器用ケースの裏蓋についての図である。
【図７】本発明に係る電池の第２のアプリケーションの斜視図である。
【図８】図８Ａ及び８Ｂは、本発明に係る電池の第３のアプリケーションの断面図である。
【発明を実施するための形態】
【００２８】
図２は、本発明に係る電池として、電気的エネルギーを蓄える蓄エネルギー装置１０を示す。前記電池１０は、再充電可能であることも再充電可能ではないこともある。この電池１０は、例えば、ボタンセルであり、陽極１４を有する陽極ケース１２を有する。電池は、さらに、陽極ケース１２に固定された陰極ケース１３を有する。陽極ケース１２と陰極ケース１３の間のシールを確実にするために、陽極ケース１２に対して陰極ケース１３をシールするシール１６が使用される。
【００２９】
陰極１５は、陽極１４と陰極ケース１３の間にて陰極ケース１３内に位置している。膜１７は、陽極１４と陰極１５の間で位置するように構成する。陽極ケース１２は、第１の外側表面２１がある。陰極ケース１３に第２の外側表面２２がある一方。例えば、第１の外側表面２１及び第２の外側表面２２どうしは、平行である。電池１０は、さらに、これらの第１の表面２１及び第２の表面２２に対して割面（セカント）である第３の外側表面２３を有する。この第３の表面２３は、電池１０の端縁を形成し、陽極ケース１２の一部及び陰極ケース１３の一部で構成している。しかし、第１の外側表面２１及び第２の外側表面２２どうしは平行でなくてもよく、曲がっていてもよい。
【００３０】
この電池１０は、腕時計や計算機のような電子装置１００内に配置されることを意図されている。電子デバイス１００は、ケース１０１を有し、その中に電子的モジュールが配置されている。この電子的モジュールには、前記電池１０によって電力が供給される。ケース１０１は、その裏蓋１０２の中にハッチ１０３が設けられるように作られており、ハッチ１０３の中には、電池１０が電子的モジュールへの電気接続のために配置されている。このハッチ１０３は、電池ハッチカバー１０４によって閉じられる。一般的には、電池１０がそのハッチ１０３内に配置されると、表面の１つがユーザーに見えるようになる。しかし、電子装置１００において電池１０の複数の表面が見えるようにすることもできる。ユーザーが見える表面とは反対の表面を介して電気接触が行われる。これは、一般には、第２の外側表面２１、言い換えると、陽極であり、また、電池１０の端縁としてはたらく第３の外側表面２３の陰極ケースの一部を介して行われる。これは、一般に弾性的金属細長片の形態であるコンタクターを通して行われる。
【００３１】
好ましいことに、本発明によると、電池１０にはマーキング１８がある。このマーキング１８は、材料の局部加熱によって達成される。第１の実施形態において、材料の局部加熱には、電池１０の表面のうちの１つからの材料の除去を伴う。この材料の除去は、レーザー彫刻によって達成される。すなわち、レーザー光線が所望の領域に当てられる。その後、材料はレーザーによって溶かされ蒸発される。このレーザー彫刻の使用は、より単純な電池マーキング工程を提供できるという利点を有する。なぜなら、レーザープログラミングのみが１つのマーキング１８と別のマーキングの間で変わるからである。また、この方法によって、１０〜２００ｎｍの彫刻深さを達成することが可能になる。これをスタンピングによって達成することは不可能である。レーザー彫刻によって、マーキングの非常に良好な接着を達成することが可能になる。なぜなら、ケースの材料と一体化されるからである。
【００３２】
好ましくは、マーキング１８は、導電性を有するように作られる。これを達成するために、レーザー彫刻は、（空気中の酸素と材料の間の酸化による）導電率の低下を電池性能に対する衝撃のない値に、すなわち、電池の内部抵抗に対して無視できる値に制限するように、周囲雰囲気で行われる。
【００３３】
伝導性のマーキング１８によって、マーキング１８は電池のいずれの表面にもわたって延在することができる。この導電性のマーキング１８は、第１の外側表面２１、第２の外側表面２２又は第３の外側表面２３にわたって延在することができる。もちろん、マーキング１８は、表面全体に同時にわたって延在することができる。この種のマーキング１８の利点は、配置や表面に対する拘束がないということである。実際に、マーキング１８が電気的接触を害さないので、その形は利用可能な表面によってのみ制限される。
【００３４】
本発明の特徴によると、本発明に係るマーキング１８は無色であることができ又は有色であることができる。この着色又は色の欠如は、レーザー彫刻方法のパラメーターに依存する。これらのパラメーターは、ビーム強度、信号種別（パルス化又は連続的）、パルス持続時間、彫刻時の雰囲気などである。
【００３５】
黒い色のマーキング１８を有することの利点は、それが電池１０の材料、すなわち、陽極ケース１２及び／又は陰極ケース１３の材料と、前記マーキング１８との間のコントラストを与えるということである。このように、このコントラストは、マーキング１８が目立ち、注目されることを意味する。
【００３６】
反対に、無色であることは、マーキング１８が、電池１０のケースの素材と同じ色を有することを意味し、これによって、事実上目に見えず、したがって、一目で見られる必要のない基本的な情報を秘密にすることができる。
【００３７】
第２の実施形態において、材料が除去されずに単に電池材料が着色されるような温度で材料の局部加熱が行われる。異なる色で着色することが、温度のような所望の色を得るのに必要な方法パラメーターを選ぶことによって達成される。この技術は、色変化マーキングと呼ばれ、レーザーによって行うことができる。このようにして、以前にアブレーションマーキングのために使用した調整の種類も使用される。すなわち、ビーム幅、ビーム種類、ビーム周波数、マーキングする環境などである。
【００３８】
図３に示す変種において、黒以外の色で又は電池の素材の色でマーキング１８を作ることができる。これを達成するために、回折格子１８０を彫るためにレーザー彫刻方法が使用される。この回折格子１８０は、お互い平行な複数の溝１８０ａで作られる。
【００３９】
これらの溝１８０ａは、それらの形とそれらの寸法によって定められる。溝１８０ａは、散乱光反射を発生させる。鏡面反射時に干渉効果が発生し、これは、複数の小さな鏡を有する回折格子の彫られていない表面上の鋸歯状突起１８０ｂの一番上において発生する。したがって、これは溝のネットワークと同じ物理的構成である。鋸歯状突起１８０ｂの幅は溝の開口と同じである。他方、溝１８０ａは、溝どうしの間の空間と等しい。鋸歯状突起の間の空間は、領域ごとに異なるようにすることができる。これによって、図４に示すような色のモザイク（クジャクの羽のような）を得ることができる。これらの領域間の境界は、黒っぽく／無秩序になる、したがって、間隔が規則的なままであるような特定の表面を有する領域が必要である。
【００４０】
第１のアプリケーションにおいては、これらのマーキング１８は、図５に示すような、人目を引く図形１８１又は装飾イメージを形成するように使用される。このために、人目を引く図形１８１は、電池１０がハッチ１０３にあるときにユーザーに見られる電池の表面上で作られる。これらの人目を引く図形１８１は、限定版を作るために容易に使用することができる。
【００４１】
また、図６に示すように、一又は複数の人目を引く図形１８１を大きな人目を引くアセンブリと一体化することができる。電池１０を有するデバイス１００用のケース１０１が装飾１０５を備えていたり、電池１０用のケース１０１が装飾１０５の一部であることを考えることができる。これを達成するために、電池１０のマーキング１８がケース１０１の装飾１０５と連係し、人目を引くアセンブリ１０６を形成することが考えられる。例えば、ケース１０１に特定の星座を形成する星（図示せず）からなる装飾がある場合、電池１０のマーキング１８は、電池１０をハッチ１０３内に設けると前記星座が完全に現れるように構成する一又は複数の星の形態であることができる。同様に、有名な秘密諜報部員００７（登録商標）についてのロゴを作ることができる。これにおいて、銃身の画像がケース１０１の装飾１０５となっており、人間の図形がマーキング１８を形成している。
【００４２】
他方では、人目を引く図形１８１は、単にメーカーのロゴであったり、セル種別や供給電圧のような電池１０の特徴に関する表示であることができる。その場合には、マーキング１８はあまり目に見えないように無色とすることができる。特に、マーキング１８が人目を引く図形１８１として機能する別のマーキング１８に関連づけられている場合にである。このアプリケーションにおいては、人目を引く図形１８１は、その外観を改善するために、回折格子１８０を有することができる。
【００４３】
この第１のアプリケーションは、透明材料で作られた電池ハッチカバー１０４を有する有利な手法に関係している。このような材料の透明性によって、電池１０が交換される際だけでなく望んだ時にユーザーは電池１０のマーキング１８を見ることが可能になる。
【００４４】
第２のアプリケーションにおいて、一又は複数のマーキング１８が偽造して使用することを防止するために利用される。この偽造防止マーキングは、様々な形態であることができる。
【００４５】
第１の形態は、通し番号を作ることを伴う。通し番号は、好ましくは、無色であり、すなわち、電池の素材と同じ色であり、これによって、検出が困難になる。
【００４６】
偽造防止マーキング１８の第２の形態は、図７に示すようにバーコード１８２のような特定の構成を伴う。バーコードは、二次元であることができ、例えば、レーザー彫刻で設けられる。一連の凹部１８２ａを作ることを考えることができる。これは、浅いこともあって深いこともあり、幅広であることもあって幅が狭いこともあり、長いこともあって短いこともある。また、例えば、正方形を形成することもできる。このような特定の組み合わせは、好ましくは、できるだけ地味なように無色のマーキングとなるように作られる。その後、バーコード１８２を走査して、電池１０の真正性を確認することができる。
【００４７】
また、深さが同じで幅と間隔が異なる複数の平行な凹部１８２ａで形成された従来のバーコードも彫ることができる。
【００４８】
この偽造防止マーキング１８の第２の形態の変種において、凹部１８２ａそれぞれに回折格子１８０を設けて、有色のバーコード１８２を得ることができる。レーザーによって材料をマーキングして取り除く利点の１つは、印刷よりも信頼性があるということである。これは、前記バーコードを取り除くには下方向に削らなくてはならず、したがって、痕跡を残すことになるからである。
【００４９】
第３のアプリケーションによると、電池１０用の充電インジケータ１８３を形成するようにマーキング１８が使用される。実際に、電池１０が完全に充電されているか放電されているかどうかに応じて、電池の輪郭が変わる。より詳細には、電池１０が完全に放電されていれば、第１の外側表面２１又は第２の外側表面２２の輪郭の外観は異なるようになる。
【００５０】
本発明によると、電池１０用の充電インジケータ１８３は、巧妙に、変形する電池１０の表面上に回折格子１８０を有する。この回折格子１８０はお互いに平行な複数の溝１８０ａで作られる。上で説明したように、図８Ａに示すように、この回折格子は、光を異なる波長の光に分け、これらはお互いから離れて伝わる。
【００５１】
したがって、図８Ｂに示すように、電池１０が放電されていれば、回折格子１８０が設けられた表面（ここでは、陽極ケース１２の表面）が変形する。これは、回折格子１８０の間隔を変える。結果的に、光は異なるように散乱し、色が変わる。このようにして、このような色変化によって、充電の状態の視覚表示を提供することができる。
【００５２】
添付の請求の範囲によって定められる本発明の範囲から逸脱せずに、上記の本発明の様々な実施形態に対して当業者にとって明白な様々な変更、改善及び／又は組み合わせを行うことができることは明らかであろう。
【００５３】
第２の変種において、電池１０は、さらに、非導電性であるように作られたマーキングを有する。これを達成するために、酸素雰囲気でレーザー彫刻が行われる。これによって、彫られた表面を酸化させて、導電率を十分に減らして電気の流れを妨げることができるという効果を有する。
【符号の説明】
【００５４】
１０  蓄エネルギー装置
１２  陽極ケース
１３  陰極ケース
１４  陽極
１５  陰極
１６  シール
１７  膜
１８  マーキング
２１  第１の外側表面
２２  第２の外側表面
２３  第３の外側表面
１００  電子装置
１０１  ケース
１０３  ハッチ
１０４  ハッチカバー
１０５  装飾
１０６  アセンブリ
１８０  回折格子
１８２  偽造防止デバイス
１８３  畜エネルギー状態をモニタリングするデバイス
１８０ａ  溝
１８２ａ  凹部
【図１】
0006028012.tif 000002
【図２】
0006028012.tif 000003
【図３】
0006028012.tif 000004
【図４】
0006028012.tif 000005
【図５】
0006028012.tif 000006
【図６】
0006028012.tif 000007
【図７】
0006028012.tif 000008
【図８】
0006028012.tif 000009